(57)【要約】【課題】無線リソースの有効利用及び消費電力の削減を実現する。【解決手段】ハンドオーバ制御装置１０において、ハンドオーバ制御部１２は、ＨＯ（ハンドオーバ）元基地局と複数のＨＯ先候補基地局との各ペアのトータルのエネルギー効率を、ハンドオーバ前とハンドオーバ後とのそれぞれについて算出する。そして、ハンドオーバ制御部１２は、算出された各ペアのハンドオーバ前及びハンドオーバ後のエネルギー効率に基づいて、ＨＯ先基地局を決定する。エネルギー効率は、例えば、消費電力に対する総スループットの比である。【選択図】図３
2013214838.tif 000002
【特許請求の範囲】
【請求項１】
移動局のハンドオーバ先基地局を、前記移動局のメジャメント対象グループに含まれ且つ前記ハンドオーバ元基地局以外の複数の候補基地局の中から選択するハンドオーバ制御装置であって、
前記移動局において測定された前記メジャメント対象グループに属する各所属基地局との間の無線品質に基づいて前記各所属基地局で測定された、ハンドオーバ前の第１のスループット及び第１の消費電力と、前記移動局が前記各候補基地局にハンドオーバしたと仮定し前記各所属基地局で推定された、ハンドオーバ後の第２のスループット及び第２の消費電力とを含むパラメータセットを取得する取得部と、
前記パラメータセットを用いて、ハンドオーバ元基地局と前記複数の候補基地局との各ペアのトータルのエネルギー効率を、ハンドオーバ前とハンドオーバ後とのそれぞれについて算出し、算出された各ペアのハンドオーバ前及びハンドオーバ後のエネルギー効率に基づいて、前記ハンドオーバ先基地局を選択する制御部と、
を具備するハンドオーバ制御装置。
【請求項２】
前記エネルギー効率は、消費電力に対するスループットの比として算出される、
請求項１に記載のハンドオーバ制御装置。
【請求項３】
前記取得部は、所定の周期で、又は、前記ハンドオーバ元基地局におけるエネルギー効率が下がった場合に、前記パラメータセットを取得し、
前記制御部は、前記取得部による前記パラメータセットの取得タイミングに同期して、前記各ペアのハンドオーバ前及びハンドオーバ後のエネルギー効率の算出処理、及び、前記ハンドオーバ先基地局の選択処理を実行する、
請求項１又は請求項２に記載のハンドオーバ制御装置。
【請求項４】
自装置との間で通信中のハンドオーバ元基地局と前記ハンドオーバ元基地局の周辺に位置する複数の候補基地局とを含むメジャメント対象グループに属する各所属基地局から送信された参照信号に基づいて、自装置と前記各所属基地局との間の無線品質を測定する測定部と、
前記メジャメント対象グループに含まれる全所属基地局についての前記測定された無線品質を含めた報告を前記ハンドオーバ元基地局へ送信し、前記ハンドオーバ元基地局から、前記複数の候補基地局の中から選択されたハンドオーバ先基地局に関する情報を含むメッセージを受信する通信部と、
前記受信されたメッセージに基づいて、前記ハンドオーバ元基地局との通信チャネルから前記ハンドオーバ先基地局の通信チャネルへ切り替える制御部と、
を具備する移動局。
【請求項５】
移動局のハンドオーバ先基地局を、前記移動局のメジャメント対象グループに含まれ且つ前記ハンドオーバ元基地局以外の複数の候補基地局の中から選択するハンドオーバ制御方法であって、
前記移動局において測定された前記メジャメント対象グループに属する各所属基地局との間の無線品質に基づいて前記各所属基地局で測定された、ハンドオーバ前の第１のスループット及び第１の消費電力と、前記移動局が前記各候補基地局にハンドオーバしたと仮定し前記各所属基地局で推定された、ハンドオーバ後の第２のスループット及び第２の消費電力とを含むパラメータセットを取得し、
前記パラメータセットに基づいて、ハンドオーバ元基地局と前記複数の候補基地局との各ペアのトータルのエネルギー効率を、ハンドオーバ前とハンドオーバ後とのそれぞれについて算出し、算出された各ペアのハンドオーバ前及びハンドオーバ後のエネルギー効率に基づいて、前記ハンドオーバ先基地局を選択する、
ハンドオーバ制御方法。
【発明の詳細な説明】
【技術分野】
【０００１】
本発明は、ハンドオーバ制御装置、移動局、及び、ハンドオーバ制御方法に関する。
【背景技術】
【０００２】
移動通信システムは、高度化及び複雑化している。現在普及している第３．５世代移動通信システム、つまり３．５Ｇから、第３．９世代移動通信システム、つまり３．９Ｇへ現在移行しつつある。さらには、将来的には、第４世代移動通信システム、つまり４Ｇのサービスが開始されると予想される。このような移動通信システムの高度化及び複雑化に伴い、ＳＯＮ（Ｓｅｌｆ  Ｏｒｇａｎｉｚｉｎｇ  Ｎｅｔｗｏｒｋ）という技術が注目されている。ＳＯＮは、移動通信システムの設置、運用等を自動化且つ最適化する技術である。すなわち、将来的には、図１に示すように、３．５Ｇ、３．９Ｇ、及び４Ｇのネットワークシステムが混在する状況が生じる。図１は、３．５Ｇ、３．９Ｇ、及び４Ｇが混在する移動通信システムの例を示す図である。なお、具体的な方式としては、３．５ＧではＷ−ＣＤＭＡがあり、３．９ＧではＬＴＥ（Ｌｏｎｇ  Ｔｅｒｍ  Ｅｖｏｌｕｔｉｏｎ）があり、４ＧではＬＴＥ−Ａｄｖａｎｃｅｄがある。
【０００３】
また、ＳＯＮの主な機能としては、自動設定（Ｓｅｌｆ−Ｃｏｎｆｉｇｕｒａｔｉｏｎ）、自動最適化（Ｓｅｌｆ−Ｏｐｔｉｍｉｚａｔｉｏｎ）、及び自動修復（Ｓｅｌｆ−Ｈｅａｌｉｎｇ）がある。
【０００４】
自動設定機能：基地局が設置される際に、ネットワーク接続、隣接セルの設定、システムパラメータ等の設定を手動ではなく自動的に行う機能である。この機能により、設置にかかる作業時間及び作業負荷を削減できる。
【０００５】
自動最適化機能：隣接セルへのハンドオーバの調整及び隣接セル間の干渉の調整などにより、移動通信システムのチューニングを自動的に実施する機能である。この機能は、移動通信システムにおけるノード(つまり、基地局、交換機、移動局等)で収集した測定データに基づいて行われる。具体的には、ハンドオーバの調整には、ハンドオーバを実施するか否かの判断に用いられ且つ無線品質の変化に関する閾値の調整等がある。また、干渉の調整には、各セルにおける送信電力の調整、及び、送信タイミングの調整等がある。この機能によって、移動通信システムにおける通信品質を向上させることができる。
【０００６】
自動修復機能：移動通信システムにおける障害を自動検知し、原因の特定・分析・復旧までを自動的に行う機能である。この機能によって、移動通信システムの保守に掛かる作業時間及び作業負荷を削減できる。
【０００７】
近年、モバイルトラヒックの急増及びエコロジーに対する意識の向上に伴い、自動最適化機能による、無線リソースの有効利用、及び、ネットワーク全体の消費電力の削減が重要視されてきている。
【０００８】
ここで、従来、無線リソースの有効利用のために、移動局を複数のセルに分散させることが行われている。この分散処理は、基地局で測定された、当該基地局の配下にある移動局の数、スループット、及び呼接続負荷に基づいて行われる。この分散処理により、移動局が所定のセルに集中することによって１移動局当たりのスループットが低下することを防止できる。具体的な例としては、マクロセルに存在する移動局をマイクロセルに移動させる、つまりハンドオーバさせる方法がある。
【０００９】
また、無線リソースのさらなる有効利用を実現する方法としては、次の方法を挙げることができる。すなわち、第１に、移動局の数、スループット、及び呼接続負荷だけでなく、移動局の移動状況又は分布を加味して制御する方法がある。この方法では、例えば、高速で移動している移動局は直ぐにマイクロセルから出てしまうため、静止している移動局を優先的にマイクロセルにハンドオーバさせる。これにより、無線リソースを安定して活用できる。また、第２に、ハンドオーバ制御だけでなく、基地局からの無線電波の送信方向及び送信電力も連動して制御する方法がある。この方法では、例えば、移動局の密度が高い場所に無線電波の送信方向を向ける共に、送信電力を上げる。これにより、無線品質が良好な移動局の割合が増やすことができる。無線品質が良い程同じ無線リソースでもたくさんのデータを送信できるので、無線リソースの利用効率を向上させることができる。
【００１０】
また、従来、ネットワークの消費電力を削減するために、次の制御が行われている。すなわち、移動局を所定のセル又はセクタに集中させることが行われている。この集中処理は、基地局で測定された、当該基地局の配下にある移動局の数、スループット、及び呼接続負荷に基づいて行われる。この集中処理により、移動局が移動した結果として移動局の数が少なくなったセルに対応する基地局において必要な電力を低減できる。また、セクタ単位で独立した処理部を具備する基地局では、所定のセクタに移動局を集中させることにより、移動局の数が少なくなったセクタに対応する処理部への供給電力を低減できる。
【先行技術文献】
【特許文献】
【００１１】
【特許文献１】特開２０１１−１９０３９号公報
【発明の概要】
【発明が解決しようとする課題】
【００１２】
ところで、無線リソースの有効利用、及び、ネットワーク全体の消費電力の削減は、両方が同時に実現されることが好ましい。しかしながら、上述の通り、一方は移動局を分散させることにより実現され、他方は移動局を集中させることにより実現される。従って、ただ単に組み合わせただけでは、両方を十分なレベルで実現することは難しい。
【００１３】
開示の技術は、上記に鑑みてなされたものであって、無線リソースの有効利用及び消費電力の削減を実現できる、ハンドオーバ制御装置、移動局、及び、ハンドオーバ制御方法を提供することを目的とする。
【課題を解決するための手段】
【００１４】
開示の態様では、移動局のハンドオーバ先基地局を、前記移動局のメジャメント対象グループに含まれ且つ前記ハンドオーバ元基地局以外の複数の候補基地局の中から選択するハンドオーバ制御装置であって、前記移動局において測定された前記メジャメント対象グループに属する各所属基地局との間の無線品質に基づいて前記各所属基地局で測定された、ハンドオーバ前の第１のスループット及び第１の消費電力と、前記移動局が前記各候補基地局にハンドオーバしたと仮定し前記各所属基地局で推定された、ハンドオーバ後の第２のスループット及び第２の消費電力とを含むパラメータセットを取得する取得部と、前記パラメータセットを用いて、ハンドオーバ元基地局と前記複数の候補基地局との各ペアのトータルのエネルギー効率を、ハンドオーバ前とハンドオーバ後とのそれぞれについて算出し、算出された各ペアのハンドオーバ前及びハンドオーバ後のエネルギー効率に基づいて、前記ハンドオーバ先基地局を選択する制御部と、を具備する。
【発明の効果】
【００１５】
開示の態様によれば、無線リソースの有効利用及び消費電力の削減を実現できる。
【図面の簡単な説明】
【００１６】
【図１】図１は、３．５Ｇ、３．９Ｇ、及び４Ｇが混在する移動通信システムの例を示す図である。
【図２】図２は、実施例１の通信システムの一例を示す図である。
【図３】図３は、実施例１のハンドオーバ制御装置の一例を示すブロック図である。
【図４】図４は、実施例２のＨＯ元基地局の一例を示すブロック図である。
【図５】図５は、実施例２のＨＯ先候補基地局の一例を示すブロック図である。
【図６】図６は、実施例２の移動局の一例を示すブロック図である。
【図７】図７は、実施例２の通信システムの処理動作の説明に供するシーケンス図である。
【図８】図８は、実施例２の通信システムの処理動作の説明に供するシーケンス図である。
【図９】図９は、実施例３の通信システムの処理動作の説明に供するシーケンス図である。
【図１０】図１０は、実施例４のハンドオーバ制御装置の一例を示すブロック図である。
【図１１】図１１は、実施例４のＨＯ元基地局の一例を示すブロック図である。
【図１２】図１２は、実施例４のＨＯ先基地局の一例を示すブロック図である。
【図１３】図１３は、実施例４の通信システムの処理動作の説明に供するシーケンス図である。
【図１４】図１４は、基地局のハードウェア構成を示す図である。
【図１５】図１５は、移動局のハードウェア構成を示す図である。
【発明を実施するための形態】
【００１７】
以下に、本願の開示するハンドオーバ制御装置、移動局、及び、ハンドオーバ制御方法の実施例を図面に基づいて詳細に説明する。なお、この実施例により本願の開示するハンドオーバ制御装置、移動局、及び、ハンドオーバ制御方法が限定されるものではない。また、実施例において同一の機能を有する構成には同一の符号を付し、重複する説明は省略される。
【００１８】
［実施例１］
［通信システムの概要］
図２は、実施例１の通信システムの一例を示す図である。図２において、通信システム１は、ハンドオーバ制御装置１０と、基地局２０−１，２，３と、移動局３０と、交換機４０とを有する。
【００１９】
移動局３０は、基地局２０−１を介して通信を行っている。すなわち、基地局２０−１は、ハンドオーバ元基地局（以下では、「ＨＯ元基地局」と呼ばれることがある）である。
【００２０】
また、移動局３０は、ＨＯ元基地局及び周辺に存在するＨＯ元基地局以外の基地局（以下では、「ＨＯ先候補基地局」と呼ばれることがある）から送信された参照信号を受信する。ここで、ＨＯ元基地局及び複数のＨＯ先候補基地局を含むグループは、「メジャメント対象グループ」と呼ばれることがある。図２に示される状況では、基地局２０−２，３がＨＯ先候補基地局である。
【００２１】
そして、移動局３０は、受信された参照信号に基づいて、メジャメント対象グループに属する各基地局２０と移動局３０との間の無線品質を測定する。メジャメント対象グループに属する各基地局２０についての測定結果は、基地局の識別情報と対応づけられ且つ測定報告（Ｍｅａｓｕｒｅｍｅｎｔ  Ｒｅｐｏｒｔ）メッセージに含められてＨＯ元基地局へ送信される。そして、各ＨＯ先候補基地局についての測定結果は、ＨＯ元基地局によって各ＨＯ先候補基地局へ送信される。
【００２２】
基地局２０−１，２，３のそれぞれは、「パラメータセット」の各パラメータの値について、現在値を測定すると共に、ハンドオーバの制御対象である移動局３０が自身のセル又はセクタにハンドオーバさせたと仮定したときの各パラメータの値を推定する。パラメータセットには、基地局２０−１，２，３のそれぞれの、スループットと消費電力とが含まれる。基地局２０−１，２，３のそれぞれにおいて測定又は推定されたパラメータセットは、ハンドオーバ制御装置１０へ送信される。
【００２３】
ハンドオーバ制御装置１０は、基地局２０−１，２，３から取得したパラメータセットに基づいて、移動局３０をハンドオーバさせるか否か、及び、ハンドオーバさせる場合にはＨＯ先基地局を複数のＨＯ先候補基地局の中から選択する。このハンドオーバさせるか否かの判断及びＨＯ先基地局の選択は、「エネルギー効率」を基準として行われる。このエネルギー効率としては、各基地局における総スループットの消費電力に対する比を用いることができる。すなわち、エネルギー効率の単位としては、［ｂｐｓ／Ｗ］又は［ｂｉｔ／Ｊ］である。
【００２４】
そして、移動局３０をハンドオーバさせると判断された場合には、移動局３０宛てのデータが交換機４０によってＨＯ元基地局に代わってＨＯ先基地局へ送出される。これにより、移動局３０は、ＨＯ先基地局経由で自身宛のデータを受け取ることになる。
【００２５】
［ハンドオーバ制御装置の構成］
図３は、実施例１のハンドオーバ制御装置の一例を示すブロック図である。図３において、ハンドオーバ制御装置１０は、取得部１１と、ハンドオーバ制御部１２とを有する。
【００２６】
取得部１１は、メジャメント対象グループからパラメータセットを取得し、ハンドオーバ制御部１２へ出力する。具体的には、パラメータセットには、第１に、ＨＯ元基地局における、ハンドオーバ前のスループット及び消費電力の測定値と、ハンドオーバ後のスループット及び消費電力の推測値とが含まれる。第２に、各ＨＯ先候補基地局における、ハンドオーバ前のスループット及び消費電力の測定値と、ハンドオーバ後のスループット及び消費電力の推測値とが含まれる。
【００２７】
ハンドオーバ制御部１２は、取得部１１から受け取ったパラメータセットに基づいて、移動局３０をハンドオーバさせるか否か、及び、ハンドオーバさせる場合にはＨＯ先基地局を複数のＨＯ先候補基地局の中から選択する。
【００２８】
具体的には、ハンドオーバ制御部１２は、ＨＯ元基地局とＨＯ先候補基地局とのペアについてのトータルのエネルギー効率を、ハンドオーバ前と後との各々について算出する。この算出は、各ＨＯ先候補基地局について行われる。
【００２９】
そして、ハンドオーバ制御部１２は、算出された各ペアについてのハンドオーバ前後のエネルギー効率に基づいて、ハンドオーバ前に比べてハンドオーバ後のエネルギー効率が最も増加するペアを特定する。そして、ハンドオーバ制御部１２は、特定されたペアのＨＯ先候補基地局をＨＯ先基地局として選択する。
【００３０】
詳細には、ハンドオーバ制御部１２は、上記したペアについてのトータルのエネルギー効率を、ハンドオーバ前と後との各々について算出し、ハンドオーバ後のエネルギー効率からハンドオーバ前のエネルギー効率を減算することにより、差分を算出する。
【００３１】
そして、ハンドオーバ制御部１２は、算出された差分が最も大きいペアを特定し、特定されたペアのＨＯ先候補基地局をＨＯ先基地局として選択する。
【００３２】
ここで、エネルギー効率の算出には、以下の式を用いることができる。
Ｅｆｆ＿１＝（Ｒ＿１，１＋Ｒ＿１，２）÷（Ｗ＿１，１＋Ｗ＿１，２）
Ｅｆｆ＿２＝（Ｒ＿２，１＋Ｒ＿２，２）÷（Ｗ＿２，１＋Ｗ＿２，２）
【００３３】
なお、Ｅｆｆ＿１は、ハンドオーバ前のペアのトータルのエネルギー効率である。Ｅｆｆ＿２は、ハンドオーバ後のペアトータルのエネルギー効率である。Ｗは、消費電力であり、Ｒはスループットである。そして、Ｗ及びＲに付されている１番目の数字は、ハンドオーバ前の値であるか後の値であるかを示し、２番目の数字は、ＨＯ元基地局の値であるかＨＯ先候補基地局の値であるかを示す。すなわち、１番目の数字の１は、ハンドオーバ前を示し、２は、ハンドオーバ後を示す。また、２番目の数字の１は、ＨＯ元基地局を示し、２は、ＨＯ先候補基地局を示す。
【００３４】
以上のように本実施例によれば、ハンドオーバ制御装置１０において、ハンドオーバ制御部１２は、ＨＯ元基地局と複数のＨＯ先候補基地局との各ペアのトータルのエネルギー効率を、ハンドオーバ前とハンドオーバ後とのそれぞれについて算出する。そして、ハンドオーバ制御部１２は、算出された各ペアのハンドオーバ前及びハンドオーバ後のエネルギー効率に基づいて、ＨＯ先基地局を決定する。エネルギー効率は、例えば、消費電力に対する総スループットの比である。
【００３５】
こうすることで、無線リソースの利用効率と消費電力とのバランスが考慮された指標となり得るエネルギー効率に基づいてＨＯ先基地局を決定できる。また、基地局単位のエネルギー効率ではなく、各ペアのトータルのハンドオーバ前及びハンドオーバ後のエネルギー効率に基づいて、ＨＯ先基地局を決定できるので、ネットワーク全体として無線リソースの有効利用及び消費電力の削減を実現できる。
【００３６】
［実施例２］
実施例２は、ハンドオーバ制御装置を基地局に適用した場合の実施例である。
【００３７】
［ＨＯ元基地局の構成］
図４は、実施例２のＨＯ元基地局の一例を示すブロック図である。図４において、ＨＯ元基地局５０は、総スループット測定部５１と、消費電力測定部５２と、総スループット推定部５３と、消費電力推定部５４と、記憶部５５と、呼制御部５６と、ハンドオーバ制御部５７と、信号処理部５８と、無線インタフェース部５９と、基地局間インタフェース部６０と、交換インタフェース部６１とを有する。ここで、ハンドオーバ制御装置１０の取得部１１は、呼制御部５６に対応し、ハンドオーバ制御部１２は、ハンドオーバ制御部５７に対応する。
【００３８】
総スループット測定部５１は、自装置の総スループットを測定する。総スループットは、自装置が送信するパケットの個数とバイト数とをカウントすることにより、測定できる。
【００３９】
消費電力測定部５２は、自装置の消費電力を測定する。現在の家電等でも自装置の消費電力を測定し表示できている。これと同様の技術を用いることにより、消費電力の測定は可能である。
【００４０】
総スループット推定部５３は、ハンドオーバ後の総スループットを推定する。ハンドオーバ後の総スループットは、総スループット測定部５１において測定された自装置のハンドオーバ前の総スループットと、後述するハンドオーバ制御対象の移動局９０の無線品質から推定したスループットとを合計することにより、算出できる。
【００４１】
移動局９０の無線品質からのスループットの推定は、無線チャネルにおけるスケジューリングロジックに基づいて行うことができる。スケジューリングロジックとは、各移動局の無線品質に応じて対象移動局に対して割り当てる無線リソースの量を求めるロジックである。そして、割当られた無線リソースの量が解れば、当該無線リソースによって送信できるデータ量も算出することができる。
【００４２】
例えば、或るセルの無線リソースは、１００個のサブリソースに分割できるとする。そして、各サブリソースは、１つの移動局に割り当てられる。そして、無線品質が一番良い移動局から順番に、３０個、２５個、・・・と、サブリソースを割り当てるスケジューリングロジックとなっているとする。この場合、ハンドオーバ制御対象の移動局の無線品質の順番に基づいて、割り当てされるサブリソース数を推定できる。また、サブリソース当たりに送信できるデータ量も、符号化方式及び変調方式から理論的に算出できるので、結果として、ハンドオーバ制御対象のスループットも推定できる。
【００４３】
消費電力推定部５４は、総スループット推定部５３で推定された総スループットと、総スループットと消費電力との対応関係とに基づいて、ハンドオーバ後の消費電力を推定する。
【００４４】
記憶部５５は、消費電力推定部５４で用いられる対応関係をシステムパラメータとして記憶する。対応関係の形態は、算出式でもよいし、テーブルであってもよい。
【００４５】
呼制御部５６は、呼処理シーケンスに応じて制御信号を、後述するＨＯ先候補基地局７０、移動局９０、又は交換機４０との間で送受信する。また、呼制御部５６は、パラメータセットを、自装置、又は、後述するＨＯ先候補基地局７０から取得する。
【００４６】
ハンドオーバ制御部５７は、上述したハンドオーバ制御部１２と同様の機能を有する。すなわち、ハンドオーバ制御部５７は、呼制御部５６から受け取ったパラメータセットに基づいて、移動局９０をハンドオーバさせるか否か、及び、ハンドオーバさせる場合にはＨＯ先基地局を複数のＨＯ先候補基地局の中から選択する。
【００４７】
具体的には、ハンドオーバ制御部５７は、ＨＯ元基地局とＨＯ先候補基地局とのペアについてのトータルのエネルギー効率を、ハンドオーバ前と後との各々について算出する。この算出は、各ＨＯ先候補基地局について行われる。
【００４８】
そして、ハンドオーバ制御部５７は、算出された各ペアについてのハンドオーバ前後のエネルギー効率に基づいて、ハンドオーバ前に比べてハンドオーバ後のエネルギー効率が最も増加するペアを特定する。そして、ハンドオーバ制御部１２は、特定されたペアのＨＯ先候補基地局をＨＯ先基地局として選択する。
【００４９】
信号処理部５８は、自装置と、ＨＯ先候補基地局７０、移動局９０又は交換機４０との間で送受信される信号に対する送受信処理を行う。具体的には、信号処理部５８は、変復調部６２と、無線プロトコル処理部６３と、基地局間プロトコル処理部６４と、交換プロトコル処理部６５とを有する。
【００５０】
変復調部６２は、移動局９０との間の通信データの変調・復調を行う。
【００５１】
無線プロトコル処理部６３は、移動局９０との間の無線プロトコルの終端を行う。
【００５２】
基地局間プロトコル処理部６４は、他の基地局との間の基地局間プロトコルの終端を行う。
【００５３】
交換プロトコル処理部６５は、交換機４０との間の交換機向けプロトコルの終端を行う。
【００５４】
無線インタフェース部５９は、移動局９０との間でアンテナを介して無線信号を送受信する。
【００５５】
基地局間インタフェース部６０は、隣接する他基地局との間で伝送路を介して信号を送受信する。
【００５６】
交換インタフェース部６１は、交換機４０との間で伝送路を介して信号を送受信する。
【００５７】
［ＨＯ先基地局の構成］
図５は、実施例２のＨＯ先候補基地局の一例を示すブロック図である。図５において、ＨＯ先候補基地局７０は、総スループット測定部７１と、消費電力測定部７２と、総スループット推定部７３と、消費電力推定部７４と、記憶部７５と、呼制御部７６と、信号処理部７８と、無線インタフェース部７９と、基地局間インタフェース部８０と、交換インタフェース部８１とを有する。また、信号処理部７８は、変復調部８２と、無線プロトコル処理部８３と、基地局間プロトコル処理部８４と、交換プロトコル処理部８５とを有する。これらの機能部は、上述したＨＯ元基地局５０の機能部と同様の機能を有している。
【００５８】
［移動局の構成］
図６は、実施例２の移動局の一例を示すブロック図である。図６において、移動局９０は、制御部９１と、無線プロトコル処理部９２と、無線インタフェース部９３と、無線品質測定部９４とを有する。
【００５９】
制御部９１は、呼処理シーケンスに応じて制御信号を、ＨＯ元基地局５０又はＨＯ先候補基地局７０との間で送受信する。また、制御部９１は、無線品質測定部９４に対して測定指示することにより無線品質測定を制御し、測定結果を測定報告に含めてＨＯ元基地局５０へ送信する。
【００６０】
無線プロトコル処理部９２は、ＨＯ元基地局５０又はＨＯ先候補基地局７０との間の無線プロトコルの終端を行う。
【００６１】
無線インタフェース部９３は、ＨＯ元基地局５０又はＨＯ先候補基地局７０との間でアンテナを介して無線信号を送受信する。
【００６２】
無線品質測定部９４は、制御部９１からの指示に従ってメジャメント対象グループから送信された参照信号に基づいて、各基地局との間の無線品質を測定する。そして、無線品質測定部９４は、各基地局の識別情報と測定結果とを対応付けて制御部９１へ出力する。
【００６３】
すなわち、移動局９０において、無線品質測定部９４は、メジャメント対象グループに属する各基地局から送信された参照信号に基づいて、自装置と各基地局との間の無線品質を測定する。そして、制御部９１、無線プロトコル処理部９２、及び無線インタフェース部９３は、メジャメント対象グループに含まれる全基地局について測定された無線品質を含めた測定報告をＨＯ元基地局５０へ送信する。こうすることで、ＨＯ元基地局５０だけでなく、ＨＯ元基地局５０を介して無線品質を受け取るＨＯ先候補基地局７０も、総スループット及び消費電力を推定することができる。
【００６４】
そして、制御部９１、無線プロトコル処理部９２、及び無線インタフェース部９３は、ＨＯ元基地局５０から、複数のＨＯ先候補基地局７０の中から選択されたＨＯ先基地局に関する情報を含むメッセージを受信する。そして、制御部９１は、受信されたメッセージに基づいて、ＨＯ元基地局５０との通信チャネルからＨＯ先候補基地局７０の通信チャネルへ切り替える。
【００６５】
［通信システムの動作］
図７及び図８は、実施例２の通信システムの処理動作の説明に供するシーケンス図である。
【００６６】
移動局９０において無線品質測定部９４は、メジャメント対象グループから送信された参照信号を用いて、メジャメント対象グループに含まれる基地局との間の無線品質を測定する。そして、制御部９１は、測定結果を含む測定報告（Ｍｅａｓｕｒｅｍｅｎｔ  Ｒｅｐｏｒｔ）メッセージを、無線プロトコル処理部９２及び無線インタフェース部９３を介してＨＯ元基地局５０へ送信する（ステップＳ１１）。
【００６７】
ＨＯ元基地局５０において、呼制御部５６は、測定報告を、無線インタフェース部５９、信号処理部５８を介して受け取ると、メジャメント対象グループに含まれるＨＯ先候補基地局７０−１及びＨＯ先候補基地局７０−２へハンドオーバ準備要求（ＨＡＮＤＯＶＥＲ  ＰＲＥＰＡＲＥ）を送信する（ステップＳ１２）。なお、メジャメント対象グループの全てのＨＯ先候補基地局へハンドオーバ準備要求を送信するのではなく、その前に、所定レベル以上の無線品質が確保されたＨＯ先候補基地局を選択し、選択されたＨＯ先候補基地局にのみハンドオーバ準備要求を送信してもよい。
【００６８】
ＨＯ先候補基地局７０−１において、呼制御部７６がハンドオーバ準備要求を受け取ると、総スループット測定部７１及び消費電力測定部７２が、現在の、つまりＨＯ前の総スループット及び消費電力をそれぞれ測定する（ステップＳ１３）。
【００６９】
そして、総スループット推定部７３及び消費電力推定部７４が、ＨＯ後の総スループット及び消費電力をそれぞれ推定する（ステップＳ１４）。
【００７０】
ＨＯ先候補基地局７０−２においても同様の処理動作が実行される（ステップＳ１５，１６）。
【００７１】
ＨＯ先候補基地局７０−１，２において、呼制御部７６は、ハンドオーバ準備応答（ＨＡＮＤＯＶＥＲ  ＰＲＥＰＡＲＥ  ＡＣＫＮＯＷＬＥＤＧＥ）をＨＯ元基地局５０へ送信する（ステップＳ１７）。ハンドオーバ準備応答には、測定されたＨＯ前の総スループット及び消費電力、並びに、推定されたＨＯ後の総スループット及び消費電力が含められる。
【００７２】
ＨＯ元基地局５０において、呼制御部５６がハンドオーバ準備応答を受け取ると、総スループット測定部５１及び消費電力測定部５２が、現在の、つまりＨＯ前の総スループット及び消費電力をそれぞれ測定する（ステップＳ１８）。
【００７３】
そして、総スループット推定部５３及び消費電力推定部５４が、ＨＯ後の総スループット及び消費電力をそれぞれ推定する（ステップＳ１９）。
【００７４】
こうして呼制御部５６は、自装置及びＨＯ先候補基地局７０−１，２からパラメータセットを取得する。
【００７５】
そして、ハンドオーバ制御部５７は、ＨＯ元基地局５０とＨＯ先候補基地局７０とのペアについてのトータルのエネルギー効率を、ハンドオーバ前と後との各々について算出する（ステップＳ２０）。この算出は、各ＨＯ先候補基地局７０について行われる。
【００７６】
そして、ハンドオーバ制御部５７は、算出された各ペアについてのハンドオーバ前後のエネルギー効率に基づいて、ハンドオーバ前に比べてハンドオーバ後のエネルギー効率が最も増加するペアを特定する。すなわち、ハンドオーバの前後でエネルギー効率が最も向上するペアが特定される。そして、ハンドオーバ制御部５７は、特定されたペアのＨＯ先候補基地局７０をＨＯ先基地局として決定する（ステップＳ２１）。ここでは、ＨＯ先候補基地局７０−１がＨＯ先基地局として選択されたものとする。
【００７７】
図８は、図７のシーケンスの続きを示す図である。図８では、便宜上、ＨＯ先基地局として選択されなかったＨＯ先候補基地局７０−２を除いている。
【００７８】
ＨＯ元基地局５０において、呼制御部５６は、ステップＳ２１でＨＯ先基地局として選択されたＨＯ先候補基地局７０−１（以下では、ＨＯ先基地局７０−１と呼ばれる）に対して、ハンドオーバ要求（ＨＡＮＤＯＶＥＲ  ＲＥＱＵＥＳＴ）を送信する（ステップＳ２２）。
【００７９】
ＨＯ先基地局７０−１において、呼制御部７６は、ハンドオーバ要求を受け取ると、ハンドオーバ後に使用されるユーザリソースを確保し（ステップＳ２３）、ハンドオーバ応答（ＨＡＮＤＯＶＥＲ  ＲＥＱＵＥＳＴ  ＡＣＫＮＯＷＬＥＤＧＥ）をＨＯ元基地局５０へ返信する（ステップＳ２４）。
【００８０】
ＨＯ元基地局５０において、呼制御部５６は、ハンドオーバ応答を受け取ると、移動局９０に対して、ハンドオーバ指示（ＲＲＣ  ｃｏｎｎｅｃｔｉｏｎ  ｒｅｃｏｎｆｉｇｕｒａｔｉｏｎ）を送信する（ステップＳ２５）。
【００８１】
移動局９０において、制御部９１は、ハンドオーバ指示を受け取ると、ＨＯ先基地局７０−１のハンドオーバ後のユーザチャネルに切り替える。そして、制御部９１は、切り替えたユーザチャネルを用いてＨＯ先基地局７０−１に対して、ハンドオーバ実施完了（ＲＲＣ  ｃｏｎｎｅｃｔｉｏｎ  ｒｅｃｏｎｆｉｇｕｒａｔｉｏｎ  ｃｏｍｐｌｅｔｅ）を送信する（ステップＳ２６）。
【００８２】
ＨＯ先基地局７０−１において、呼制御部７６は、ハンドオーバ実施完了を受け取ると、交換機４０に対してユーザデータの送受信先をＨＯ元基地局５０からＨＯ先基地局７０−１に切り替えるように、パス変更要求（ＰＡＴＨ  ＳＷＩＴＣＨ  ＲＥＱＵＥＳＴ）を送信する（ステップＳ２７）。
【００８３】
交換機４０は、パス変更要求を受け取ると、ユーザデータの送受信先をＨＯ元基地局５０からＨＯ先基地局７０−１に切り替え（ステップＳ２８）、ＨＯ先基地局７０−１に対してパス変更応答（ＰＡＴＨ  ＳＷＩＴＣＨ  ＲＥＱＵＥＳＴ  ＡＣＫＮＯＷＬＥＤＧＥ）を送信する（ステップＳ２９）。
【００８４】
ＨＯ先基地局７０−１において、呼制御部７６は、パス変更応答を受け取ると、ＨＯ元基地局５０に対して、ハンドオーバ完了（ＣＯＮＴＥＸＴ  ＲＥＬＥＡＳＥ）を送信する（ステップＳ３０）。
【００８５】
ＨＯ元基地局５０において、呼制御部５６は、ハンドオーバ完了を受け取ると、ハンドオーバ前のユーザリソースを解放する（ステップＳ３１）。
【００８６】
以上のように本実施例によれば、ハンドオーバ制御装置１０をＨＯ元基地局に適応した場合でも、実施例１と同様の効果を実現できる。
【００８７】
［実施例３］
実施例３は、エネルギー効率の算出方法のバリエーションに関する。なお、実施例３のＨＯ元基地局、ＨＯ先候補基地局、及び移動局の基本構成は、実施例２のものと同様であるので、図４，５，６を援用して説明する。
【００８８】
実施例３のＨＯ先候補基地局７０において、算出部（図示せず）は、総スループット測定部７１、消費電力測定部７２、総スループット推定部７３、及び消費電力推定部７４で測定又は推定されたパラメータセットに基づいて、自装置についてのエネルギー効率を、ハンドオーバ前と後との各々について算出する。この算出結果は、ＨＯ元基地局５０へ送信される。
【００８９】
また、実施例３のＨＯ元基地局５０において、ハンドオーバ制御部５７は、総スループット測定部５１、消費電力測定部５２、総スループット推定部５３、及び消費電力推定部５４で測定又は推定されたパラメータセットに基づいて、自装置についてのエネルギー効率を、ハンドオーバ前と後との各々について算出する。
【００９０】
そして、ハンドオーバ制御部５７は、ＨＯ先候補基地局７０で算出されたハンドオーバ前と後とのエネルギー効率と、自身で算出したハンドオーバ前と後とのエネルギー効率とに基づいて、ＨＯ元基地局とＨＯ先候補基地局とのペアについてのトータルのエネルギー効率を、ハンドオーバ前と後との各々について算出する。この算出は、各ＨＯ先候補基地局について行われる。
【００９１】
そして、ハンドオーバ制御部５７は、算出された各ペアについてのハンドオーバ前後のエネルギー効率に基づいて、ハンドオーバ前に比べてハンドオーバ後のエネルギー効率が最も増加するペアを特定する。そして、ハンドオーバ制御部５７は、特定されたペアのＨＯ先候補基地局をＨＯ先基地局として選択する。
【００９２】
ここで、エネルギーの算出方法には、以下の式を用いることができる。
Ｅｆｆ＿１＝（Ｒ＿１，１÷Ｗ＿１，１）＋（Ｒ＿１，２÷Ｗ＿１，２）
Ｅｆｆ＿２＝（Ｒ＿２，１÷Ｗ＿２，１）＋（Ｒ＿２，２÷Ｗ＿２，２）
このようにしても、各ペアについてのハンドオーバ前後のエネルギー効率を求めることができる。
【００９３】
図９は、実施例３の通信システムの処理動作の説明に供するシーケンス図である。
【００９４】
ＨＯ先候補基地局７０−１において、算出部（図示せず）は、ステップＳ１３及びステップＳ１４で測定又は推定されたパラメータセットに基づいて、自装置についてのエネルギー効率を、ハンドオーバ前と後との各々について算出する（ステップＳ５１）。
【００９５】
ＨＯ先候補基地局７０−２においても同様の処理動作が実行される（ステップＳ５２）。
【００９６】
ＨＯ元基地局５０において、ハンドオーバ制御部５７は、ステップＳ１８及びステップＳ１９で測定又は推定されたパラメータセットに基づいて、自装置についてのエネルギー効率を、ハンドオーバ前と後との各々について算出する（ステップＳ５３）。
【００９７】
そして、ハンドオーバ制御部５７は、ＨＯ元基地局５０とＨＯ先候補基地局７０とのペアについてのトータルのエネルギー効率を、ハンドオーバ前と後との各々について算出する（ステップＳ５４）。
【００９８】
そして、ハンドオーバ制御部５７は、算出された各ペアについてのハンドオーバ前後のエネルギー効率に基づいて、ハンドオーバ前に比べてハンドオーバ後のエネルギー効率が最も増加するペアを特定する。すなわち、ハンドオーバの前後でエネルギー効率が最も向上するペアが特定される。そして、ハンドオーバ制御部５７は、特定されたペアのＨＯ先候補基地局７０をＨＯ先基地局として決定する（ステップＳ５５）。ここで、ＨＯ先候補基地局７０−１がＨＯ先基地局として選択されたものとすると、図８と同様のシーケンスが更に実行される。
【００９９】
以上のように本実施例のような方法によって得られる各ペアについてのハンドオーバ前後のエネルギー効率によってハンドオーバ制御を行っても実施例１と同様の効果を実現できる。
【０１００】
［実施例４］
実施例４は、ハンドオーバ制御装置を基地局と独立の装置とした場合の実施例である。
【０１０１】
［ハンドオーバ制御装置の構成］
図１０は、実施例４のハンドオーバ制御装置の一例を示すブロック図である。図１０において、ハンドオーバ制御装置１００は、ハンドオーバ制御部１０１と、ネットワーク制御部１０２と、基地局間プロトコル処理部１０３と、基地局間インタフェース部１０４とを有する。ここで、ハンドオーバ制御装置１０の取得部１１は、ネットワーク制御部１０２に対応し、ハンドオーバ制御部１２は、ハンドオーバ制御部１０１に対応する。
【０１０２】
ハンドオーバ制御部１０１は、上述したハンドオーバ制御部１２と同様の機能を有する。
【０１０３】
ネットワーク制御部１０２は、呼処理シーケンスに応じて制御信号を、後述するＨＯ元基地局１１０又はＨＯ先候補基地局１２０との間で送受信する。また、ネットワーク制御部１０２は、自装置で測定又は推定したパラメータセットを、自装置、後述するＨＯ元基地局１１０又はＨＯ先候補基地局１２０から取得する。
【０１０４】
基地局間プロトコル処理部１０３は、ＨＯ元基地局１１０又はＨＯ先候補基地局１２０との間の基地局間プロトコルの終端を行う。
【０１０５】
基地局間インタフェース部１０４は、ＨＯ元基地局１１０又はＨＯ先候補基地局１２０との間で伝送路を介して信号を送受信する。
【０１０６】
［ＨＯ元基地局の構成］
図１１は、実施例４のＨＯ元基地局の一例を示すブロック図である。図１１において、ＨＯ元基地局１１０は、呼制御部１１１を有する。
【０１０７】
呼制御部１１１は、呼処理シーケンスに応じて制御信号を、ＨＯ先候補基地局１２０、移動局９０、ハンドオーバ制御装置１００又は交換機４０との間で送受信する。また、呼制御部１１１は、自装置で測定又は推定したパラメータセットを、ハンドオーバ制御装置１００へ送信する。
【０１０８】
［ＨＯ先基地局の構成］
図１２は、実施例４のＨＯ先基地局の一例を示すブロック図である。図１２において、ＨＯ先候補基地局１２０は、呼制御部１２１を有する。
【０１０９】
呼制御部１２１は、呼処理シーケンスに応じて制御信号を、ＨＯ元基地局１１０、移動局９０、ハンドオーバ制御装置１００又は交換機４０との間で送受信する。また、呼制御部１２１は、自装置で測定又は推定したパラメータセットを、ハンドオーバ制御装置１００へ送信する。
【０１１０】
［通信システムの動作］
図１３は、実施例４の通信システムの処理動作の説明に供するシーケンス図である。
【０１１１】
ＨＯ元基地局１１０において、呼制御部１１１は、総スループット測定部５１、消費電力測定部５２、総スループット推定部５３、及び消費電力推定部５４に対して総スループット及び消費電力を定期的に測定又は推定させ、パラメータセットを定期的に取得する。そして、算出部（図示せず）は、自装置についてのエネルギー効率を、ハンドオーバ前と後との各々について算出し、呼制御部１１１は、算出結果をハンドオーバ制御装置１００へ送信する（ステップＳ１０１）。この算出結果は、エネルギー効率情報（ＥＮＥＲＧＹ  ＥＦＦＩＣＩＥＮＣＹ  ＩＮＦＯＲＭＡＴＩＯＮ）に含めて送信される。
【０１１２】
また、ＨＯ先候補基地局１２０においても、呼制御部１２１は、総スループット測定部７１、消費電力測定部７２、総スループット推定部７３、及び消費電力推定部７４に対して総スループット及び消費電力を定期的に測定又は推定させ、パラメータセットを定期的に取得する。そして、算出部（図示せず）は、自装置についてのエネルギー効率を、ハンドオーバ前と後との各々について算出し、呼制御部１２１は、算出結果をハンドオーバ制御装置１００へ送信する（ステップＳ１０１）。
【０１１３】
ハンドオーバ制御装置１００において、ハンドオーバ制御部１０１は、ＨＯ元基地局１１０及びＨＯ先候補基地局１２０から送信された、ハンドオーバ前と後とのエネルギー効率に基づいて、エネルギー効率が低下した基地局が存在するか否かを判定する。この判定処理では、エネルギー効率が閾値以下になった場合に低下したと判定される。この判定の結果、エネルギー効率が低下した基地局が存在すると判定された場合、ネットワーク制御部１０２は、エネルギー効率が低下した基地局（ここでは、ＨＯ元基地局１１０）に対してエネルギー効率の改善要求（ＥＮＥＲＧＹ  ＥＦＦＩＣＩＥＮＣＹ  ＲＥＣＯＮＦＩＧＵＲＡＴＩＯＮ）を送信する（ステップＳ１０２）。
【０１１４】
ＨＯ元基地局１１０において、呼制御部１１１は、改善要求を、無線インタフェース部５９、信号処理部５８を介して受け取ると、ハンドオーバ制御装置１００へハンドオーバ準備要求（ＨＡＮＤＯＶＥＲ  ＰＲＥＰＡＲＥ）を送信する（ステップＳ１０３）。なお、ハンドオーバ準備要求を送信する前に、所定レベル以上の無線品質が確保されたＨＯ先候補基地局を選択し、選択されたＨＯ先候補基地局に関する情報をハンドオーバ準備要求に含めて送信してもよい。
【０１１５】
ハンドオーバ制御装置１００において、ネットワーク制御部１０２は、ハンドオーバ準備要求を受け取ると、移動局９０のメジャメント対象グループに対してエネルギー効率の算出要求（ＥＮＥＲＧＹ  ＥＦＦＩＣＩＥＮＣＹ  ＥＮＱＵＩＲＹ）を送信する（ステップＳ１０４）。
【０１１６】
ＨＯ元基地局１１０において呼制御部１１１が算出要求を受け取ると、総スループット測定部５１、消費電力測定部５２、総スループット推定部５３、及び消費電力推定部５４で総スループット及び消費電力の測定又は推定が再度実行される。そして、算出部（図示せず）は、自装置についてのエネルギー効率を、ハンドオーバ前と後との各々について算出し（ステップＳ１０５）、呼制御部１１１は、算出結果をハンドオーバ制御装置１００へ送信する（ステップＳ１０６）。この算出結果は、ＥＮＥＲＧＹ  ＥＦＦＩＣＩＥＮＣＹ  ＮＯＴＩＦＹに含めて送信される。
【０１１７】
また、ＨＯ先候補基地局１２０においても呼制御部１２１が算出要求を受け取ると、総スループット測定部７１、消費電力測定部７２、総スループット推定部７３、及び消費電力推定部７４で総スループット及び消費電力の測定又は推定が再度実行される。そして、算出部（図示せず）は、自装置についてのエネルギー効率を、ハンドオーバ前と後との各々について算出し（ステップＳ１０５）、呼制御部１２１は、算出結果をハンドオーバ制御装置１００へ送信する（ステップＳ１０６）。
【０１１８】
ハンドオーバ制御装置１００でネットワーク制御部１０２がステップＳ１０６の算出結果を受け取ると、ハンドオーバ制御部１０１は、ＨＯ元基地局とＨＯ先候補基地局とのペアのトータルのエネルギー効率を、ハンドオーバ前と後との各々について算出する（ステップＳ１０７）。この算出は、各ＨＯ先候補基地局について行われる。
【０１１９】
そして、ハンドオーバ制御部１０１は、算出された各ペアについてのハンドオーバ前後のエネルギー効率に基づいて、ハンドオーバ前に比べてハンドオーバ後のエネルギー効率が最も増加するペアを特定する。すなわち、ハンドオーバの前後でエネルギー効率が最も向上するペアが特定される。そして、ハンドオーバ制御部１０１は、特定されたペアのＨＯ先候補基地局をＨＯ先基地局として決定する（ステップＳ１０８）。
【０１２０】
そして、ネットワーク制御部１０２は、決定されたＨＯ先基地局に関する情報をハンドオーバ準備応答（ＨＡＮＤＯＶＥＲ  ＰＲＥＰＡＲＥ  ＡＣＫＮＯＷＬＥＤＧＥ）に含めてＨＯ元基地局１１０へ送信する（ステップＳ１０９）。ここで、ＨＯ先候補基地局７０−１がＨＯ先基地局として選択されたものとすると、図８と同様のシーケンスが更に実行される。
【０１２１】
以上のように本実施例によれば、ハンドオーバ制御装置１０を基地局と独立の装置とした場合でも、実施例１と同様の効果を実現できる。
【０１２２】
［他の実施例］
［１］実施例１から実施例４では、移動局からのＨＯ元基地局への測定報告を契機として、ハンドオーバ制御が実行されることを前提に説明を行ったが、これに限定されるものではなく、各基地局が自律的にハンドオーバ制御を行ってもよい。
【０１２３】
各基地局が自律的でハンドオーバ制御を実施する契機としては、以下のものが考えられる。
【０１２４】
（Ａ）定期的に実施：ハンドオーバ制御が、或る周期毎に実施される。ただし、全ての基地局が同じ周期で実施するとハンドオーバが一斉に発生してしまう恐れがある。このため、基地局毎に乱数でジッタ（つまり、周期にゆらぎ）を持たせるのが望ましい。
【０１２５】
（Ｂ）基地局におけるエネルギー効率が下がった場合に実施：基地局におけるエネルギー効率が閾値以下に悪くなった場合に、ハンドオーバ制御を実施する。
【０１２６】
取得部１１は、所定の周期で、又は、ＨＯ元基地局におけるエネルギー効率が下がった場合に、パラメータセットを取得する。そして、ハンドオーバ制御部１２は、取得部１１によるパラメータセットの取得タイミングに同期して、各ペアのハンドオーバ前及びハンドオーバ後のエネルギー効率の算出処理、及び、前記ハンドオーバ先基地局の選択処理を実行する。
【０１２７】
なお、（Ａ）、（Ｂ）の契機によってハンドオーバ制御を実施する場合、制御対象の移動局を選択する必要がある。このとき、基地局配下に存在する移動局群の内で無線品質が悪い移動局の一群が選択される。
【０１２８】
［２］実施例１から実施例４では、スループットの代わりに、基地局に収容されている各無線リソース上における実際のスループットの総計を、各無線リソースにおいて規格上で実現できる最大スループットの総計によって除算した値が用いられてもよい。例えば、第３．９世代移動通信システムにおいて周波数帯域が２０ＭＨｚであり、２×２ＭＩＭＯが適用される場合、規格上の無線リソース上で実現できる最大下りスループットは、約１５０Ｍｂｐｓである。
【０１２９】
［３］実施例１から実施例４の基地局及び移動局は、次のようなハードウェア構成により実現することができる。
【０１３０】
図１４は、基地局のハードウェア構成を示す図である。図１４に示すように、基地局５０は、ハードウェアの構成要素として、ＤＳＰ（Ｄｉｇｉｔａｌ  Ｓｉｇｎａｌ  Ｐｒｏｃｅｓｓｏｒ）５０ａと、ＦＰＧＡ（Ｆｉｅｌｄ  Ｐｒｏｇｒａｍｍａｂｌｅ  Ｇａｔｅ  Ａｒｒａｙ）５０ｂと、メモリ５０ｃと、ＲＦ（Ｒａｄｉｏ  Ｆｒｅｑｕｅｎｃｙ）回路５０ｄと、ネットワークＩＦ（Ｉｎｔｅｒ  Ｆａｃｅ）５０ｅとを有する。ＤＳＰ５０ａと、ＦＰＧＡ５０ｂとは、スイッチ等のネットワークＩＦ５０ｅを介して各種信号やデータの入出力が可能なように接続されている。ＲＦ回路５０ｄは、アンテナを有する。メモリ５０ｃは、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。総スループット測定部５１と、消費電力測定部５２と、総スループット推定部５３と、消費電力推定部５４と、呼制御部５６と、ハンドオーバ制御部５７とは、例えばＤＳＰ５０ａ、ＦＰＧＡ５０ｂ等の集積回路により実現される。無線インタフェース部５９は、ＲＦ回路５０ｄにより実現される。基地局間インタフェース部６０と、交換インタフェース部６１とは、ネットワークＩＦ５０ｅにより実現される。記憶部５５は、メモリ５０ｃにより実現される。なお、基地局７０，１１０，１２０についても同様である。また、ハンドオーバ制御装置１００も基地局５０と同様のハードウェア構成とすることができる。具体的には、ハンドオーバ制御部１０１と、ネットワーク制御部１０２と、基地局間プロトコル処理部１０３とは、ＤＳＰ、ＦＰＧＡ等の集積回路により実現される。また、基地局間インタフェース部１０４は、ネットワークＩＦにより実現される。
【０１３１】
図１５は、移動局のハードウェア構成を示す図である。図１５に示すように、移動局９０は、ハードウェア的には、ＣＰＵ（Ｃｅｎｔｒａｌ  Ｐｒｏｃｅｓｓｉｎｇ  Ｕｎｉｔ）９０ａと、メモリ９０ｂと、アンテナを有するＲＦ回路９０ｃと、ＬＣＤ（Ｌｉｑｕｉｄ  Ｃｒｙｓｔａｌ  Ｄｉｓｐｌａｙ）等の表示装置９０ｄとを有する。メモリ９０ｂは、例えば、ＳＤＲＡＭ等のＲＡＭ、ＲＯＭ、フラッシュメモリにより構成される。無線インタフェース部９３は、ＲＦ回路９０ｃにより実現される。また、制御部９１と、無線プロトコル処理部９２と、無線品質測定部９４とは、例えばＣＰＵ９０ａ等の集積回路により実現される。
【符号の説明】
【０１３２】
１  通信システム
１０  ハンドオーバ制御装置
１１  取得部
１２  ハンドオーバ制御部
２０  基地局
３０，９０  移動局
４０  交換機
５０，１１０  ＨＯ元基地局
５１，７１  総スループット測定部
５２，７２  消費電力測定部
５３，７３  総スループット推定部
５４，７４  消費電力推定部
５５，７５  記憶部
５６，７６，１１１，１２１  呼制御部
５７，１０１  ハンドオーバ制御部
５８，７８  信号処理部
５９，７９  無線インタフェース部
６０，８０，１０４  基地局間インタフェース部
６１，８１  交換インタフェース部
６２，８２  変復調部
６３，８３  無線プロトコル処理部
６４，８４，１０３  基地局間プロトコル処理部
６５，８５  交換プロトコル処理部
７０，１２０  ＨＯ先候補基地局
９１  制御部
９２  無線プロトコル処理部
９３  無線インタフェース部
９４  無線品質測定部
１００  ハンドオーバ制御装置
１０２  ネットワーク制御部
【図１】
2013214838.tif 000003
【図２】
2013214838.tif 000004
【図３】
2013214838.tif 000005
【図４】
2013214838.tif 000006
【図５】
2013214838.tif 000007
【図６】
2013214838.tif 000008
【図７】
2013214838.tif 000009
【図８】
2013214838.tif 000010
【図９】
2013214838.tif 000011
【図１０】
2013214838.tif 000012
【図１１】
2013214838.tif 000013
【図１２】
2013214838.tif 000014
【図１３】
2013214838.tif 000015
【図１４】
2013214838.tif 000016
【図１５】
2013214838.tif 000017